(57)【特許請求の範囲】
【請求項１】
貨幣の処理を行う貨幣取扱機であって、
機内の内部機構を外部に開放可能な開閉手段と、
該開閉手段によって外部に開放される前記内部機構を撮像位置にて撮像可能な撮像手段と、
手動によりオン操作されて前記撮像手段による撮像データの取り込みを開始させるスイッチ手段と、
前記撮像手段の撮像データを記録可能な記録手段と、
手動操作による前記撮像手段の、待機位置から前記撮像位置への位置変更を案内する位置変更案内手段と、
前記撮像手段の前記位置変更に基づいて前記記録手段による撮像データの記録を開始させる記録制御手段と、
前記撮像手段の前記位置変更の開始を検知する位置変更開始検知手段と、
前記撮像手段の前記位置変更の完了を検知する位置変更完了検知手段と、
前記位置変更開始検知手段により前記位置変更の開始を検知した時点で前記スイッチ手段がオン操作されていない場合に警報を発生させるとともに、前記位置変更開始検知手段が前記位置変更の開始を検知してから所定時間経過しても前記位置変更完了検知手段が前記位置変更の完了を検知しない場合に警報を発生させる警報制御手段と、
前記記録手段による前記撮像データの記録が開始され、且つ、前記位置変更完了検知手段により前記撮像手段の前記位置変更の完了を検知すると前記開閉手段による前記内部機構の外部への開放を許可する開閉制御手段と、を有することを特徴とする貨幣取扱機。
【請求項２】
貨幣の処理を行う貨幣取扱機であって、
機内の内部機構を外部に開放可能な開閉手段と、
該開閉手段によって外部に開放される前記内部機構を撮像位置にて撮像可能な撮像手段と、
手動によりオン操作されて前記撮像手段による撮像データの取り込みを開始させるスイッチ手段と、
前記撮像手段の撮像データを記録可能な記録手段と、
手動操作による前記撮像手段の、待機位置から前記撮像位置への位置変更を案内する位置変更案内手段と、
前記撮像手段の前記位置変更に基づいて前記記録手段による撮像データの記録を開始させる記録制御手段と、
前記撮像手段の前記位置変更の完了を検知する位置変更完了検知手段と、
前記開閉手段により前記内部機構が外部に開放される際に前記記録手段による前記撮像データの記録が開始されていないと警報を発生させ、前記開閉手段により前記内部機構が外部に開放される際に前記位置変更完了検知手段が前記撮像手段の前記位置変更の完了を検知していないと警報を発生させる警報制御手段と、を有することを特徴とする貨幣取扱機。
【請求項３】
前記撮像手段は、機内に収納可能であり、撮像時に機外へ引き出されることを特徴とする請求項１または２に記載の貨幣取扱機。
【請求項４】
前記記録制御手段は、
前記撮像手段の検知する照度が、所定の第１基準照度を上回ったときに前記撮像データの記録を開始するとともに、所定の第２基準照度を下回ったときに前記撮像データの記録を停止することを特徴とする請求項３に記載の貨幣取扱機。
【発明の詳細な説明】
【技術分野】
【０００１】
本発明は、貨幣を取り扱う貨幣取扱機に関するものであり、特に作業者により行われる作業の監視に関するものである。
【背景技術】
【０００２】
貨幣を取り扱う現金管理装置の開状態とされた収納庫に対して棒金あるいは束紙幣が入出庫される際に、現金管理装置の上方に設けられた監視カメラで撮像した収納庫の開庫映像および使用者の手元映像を記録する現金管理システムがある（例えば、特許文献１参照）。
【０００３】
この現金管理システムによれば、収納庫の開状態から閉状態までの間の、監視カメラにより撮像したデータを記憶するものであるため、簡易に現金管理の厳正化が図れるとともに、煩雑な作業が不要となり業務効率の向上が図れる。
【先行技術文献】
【特許文献】
【０００４】
【特許文献１】特開２０１１−１１３１４２号公報（図１および図２）
【発明の概要】
【発明が解決しようとする課題】
【０００５】
上記システムでは、収納庫の引き出しが開始されたことを検知すると、監視カメラの撮像を開始するため、タイムラグによって開放初期の撮像データを記録できない可能性があった。
【０００６】
したがって、本発明は、適正な撮像データを記録することが可能となる貨幣取扱機の提供を目的とする。
【課題を解決するための手段】
【０００７】
上記目的を達成するために、請求項１に係る発明は、貨幣の処理を行う貨幣取扱機であって、機内の内部機構を外部に開放可能な開閉手段と、該開閉手段によって外部に開放される前記内部機構を撮像位置にて撮像可能な撮像手段と、手動によりオン操作されて前記撮像手段による撮像データの取り込みを開始させるスイッチ手段と、前記撮像手段の撮像データを記録可能な記録手段と、手動操作による前記撮像手段の、待機位置から前記撮像位置への位置変更を案内する位置変更案内手段と、前記撮像手段の前記位置変更に基づいて前記記録手段による撮像データの記録を開始させる記録制御手段と、前記撮像手段の前記位置変更の開始を検知する位置変更開始検知手段と、前記撮像手段の前記位置変更の完了を検知する位置変更完了検知手段と、前記位置変更開始検知手段により前記位置変更の開始を検知した時点で前記スイッチ手段がオン操作されていない場合に警報を発生させるとともに、前記位置変更開始検知手段が前記位置変更の開始を検知してから所定時間経過しても前記位置変更完了検知手段が前記位置変更の完了を検知しない場合に警報を発生させる警報制御手段と、前記記録手段による前記撮像データの記録が開始され、且つ、前記位置変更完了検知手段により前記撮像手段の前記位置変更の完了を検知すると前記開閉手段による前記内部機構の外部への開放を許可する開閉制御手段と、を有することを特徴とする。
【０００８】
請求項２に係る発明は、貨幣の処理を行う貨幣取扱機であって、機内の内部機構を外部に開放可能な開閉手段と、該開閉手段によって外部に開放される前記内部機構を撮像位置にて撮像可能な撮像手段と、手動によりオン操作されて前記撮像手段による撮像データの取り込みを開始させるスイッチ手段と、前記撮像手段の撮像データを記録可能な記録手段と、手動操作による前記撮像手段の、待機位置から前記撮像位置への位置変更を案内する位置変更案内手段と、前記撮像手段の前記位置変更に基づいて前記記録手段による撮像データの記録を開始させる記録制御手段と、前記撮像手段の前記位置変更の完了を検知する位置変更完了検知手段と、前記開閉手段により前記内部機構が外部に開放される際に前記記録手段による前記撮像データの記録が開始されていないと警報を発生させ、前記開閉手段により前記内部機構が外部に開放される際に前記位置変更完了検知手段が前記撮像手段の前記位置変更の完了を検知していないと警報を発生させる警報制御手段と、を有することを特徴とする。
【０００９】
請求項３に係る発明は、請求項１または２に係る発明において、前記撮像手段は、機内に収納可能であり、撮像時に機外へ引き出されることを特徴とする。
【００１０】
請求項４に係る発明は、請求項３に係る発明において、前記記録手段は、前記撮像手段の検知する照度が、所定の第１基準照度を上回ったときに前記撮像データの記録を開始するとともに、所定の第２基準照度を下回ったときに前記撮像データの記録を停止することを特徴とする。
【発明の効果】
【００１３】
請求項１に係る発明によれば、記録手段による撮像データの記録が開始されると、開閉制御手段が開閉手段による内部機構の外部への開放を許可するため、開放初期の撮像データを記録できない可能性がなくなる。したがって、適正な撮像データを記録することが可能となる。
スイッチ操作がなされると、撮像手段が撮像データの取り込みを開始するため、簡素な構造で撮像データの取り込みを開始させることができる。
【００１４】
請求項２に係る発明によれば、警報制御手段が、開閉手段により内部機構が外部に開放される際に記録手段による撮像データの記録が開始されていないと警報を発するため、開放初期の撮像データを記録できない状況に対して警報を発することができる。したがって、確実に撮像データを記録できる状況下での内部機構の外部への開放を操作者に促すことになり、適正な撮像データを記録することが可能となる。
スイッチ操作がなされると、撮像手段が撮像データの取り込みを開始するため、簡素な構造で撮像データの取り込みを開始させることができる。
【００１５】
請求項３に係る発明によれば、撮像手段が、機内に収納可能であり、撮像時に機外へ引き出されるため、通常運用時は、撮像手段を収納しておくことで邪魔になることがなくなり、利便性を損なうことがなくなる。
【００１６】
請求項４に係る発明によれば、撮像手段を撮像のため機外へ引き出すと、その検知する照度が、所定の第１基準照度を上回ることになって、記録手段が撮像データの記録を開始するとともに、撮像手段を機内へ収納すると、その検知する照度が、所定の第２基準照度を下回ることになって、記録手段が撮像データの記録を停止する。つまり、撮像手段の引き出しおよび収納に連動して自動的に撮像データの記録を開始および停止することができる。これにより、撮像手段を撮像データの記録開始および記録終了を制御する手段として兼用することになる。したがって、コストを低減することができる。
【図面の簡単な説明】
【００１９】
【図１】本発明の第１実施形態に係る貨幣取扱機を示す斜視図である。
【図２】本発明の第１実施形態に係る貨幣取扱機を示す要部のブロック図である。
【図３】本発明の第１実施形態に係る貨幣取扱機における紙幣処理機の上部ユニットを引き出した状態を示す平面図である。
【図４】本発明の第１実施形態に係る貨幣取扱機における紙幣処理機の下部ユニットを引き出した状態を示す平面図である。
【図５】本発明の第１実施形態に係る貨幣取扱機における新券処理機のユニットを引き出した状態を示す平面図である。
【図６】本発明の第１実施形態に係る貨幣取扱機における硬貨処理機のユニットを引き出した状態を示す平面図である。
【図７】本発明の第１実施形態に係る貨幣取扱機における撮像装置等を示すもので、（ａ）は正面図、（ｂ）は平面図、（ｃ）は側面図である。
【図８】本発明の第２実施形態に係る貨幣取扱機を示す斜視図である。
【図９】本発明の第２実施形態に係る貨幣取扱機を示す要部のブロック図である。
【発明を実施するための形態】
【００２０】
本発明の第１実施形態に係る貨幣取扱機を図１〜図７を参照して以下に説明する。
【００２１】
第１実施形態に係る貨幣取扱機は、紙幣および硬貨等の貨幣の処理を行うものであり、具体的には、銀行等の金融機関の店舗に設置されて店舗全体の貨幣処理を管理する出納機である。出納機は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行う。
【００２２】
第１実施形態に係る貨幣取扱機は、紙幣についての入出金処理等を行う紙幣処理機１１と、紙幣の特に新券についての出金処理等を行う新券処理機１２と、硬貨についての入出金処理等を行う硬貨処理機１３とが左右に並設されて構成されている。硬貨処理機１３の上部には、操作者によって操作入力がなされる図２にも示す操作部１４と、操作者に対して表示を行う表示部１５とが設けられている。
【００２３】
図１に示すように、紙幣処理機１１は、筐体（開閉手段）２１と、筐体２１の上部に前後スライド可能に支持されて前方に引き出される上部ユニット（開閉手段）２２と、筐体２１の下部に前後スライド可能に支持されて前方に引き出される下部ユニット（開閉手段）２３とを有している。また、筐体２１の上部にはバラ紙幣を結束して前面側の束出金部２４から出金させる結束ユニット２５が設けられている。
【００２４】
上部ユニット２２は、その前面部３１の上部に、機外からバラ紙幣が投入されるとともに機内から出金用のバラ紙幣が繰り出される取引口３２が設けられている。また、上部ユニット２２は、その前面部３１の下部に、受け入れ不可なバラ紙幣が機内から排出されるリジェクト口３３が設けられている。
【００２５】
図３に示すように、上部ユニット２２の前面部３１よりも後側には、上部ユニット２２が筐体２１から引き出されると一体に引き出されて外部に露出する内部機構３４が設けられている。この内部機構３４には、図示は略すが、紙幣を搬送する上部搬送部、上部搬送部により搬送中の紙幣を識別・計数する識別部、出金不可な紙幣を収納するリジェクト庫等が設けられている。上部搬送部は、図１に示す取引口３２の紙幣を、識別部で識別・計数した後、リジェクト口３３、結束ユニット２５あるいは下部ユニット２３に搬送したり、下部ユニット２３からの紙幣を、識別部、取引口３２、リジェクト庫あるいは結束ユニット２５に搬送したりする。
【００２６】
筐体２１と上部ユニット２２との間には、上部ユニット２２を筐体２１に対し閉状態でロックする電磁式の図２に示すロック機構３５と、上部ユニット２２が筐体２１に対し閉状態にあるか否かを検知する図２に示す閉検知機構３６とが設けられている。また、上部ユニット２２には、内部機構３４内に生じたジャム等の異常を検出する複数のセンサからなる図２に示す異常検出機構３７が設けられている。
【００２７】
図４に示すように、下部ユニット２３の前面部４１よりも後側には、下部ユニット２３が筐体２１から引き出されると一体に引き出されて外部に露出する内部機構４２が設けられている。この内部機構４２には、図示は略すが、紙幣を搬送する下部搬送部、一時貯留紙幣等を金種混合状態で一括収納する一括収納庫、紙幣を金種別に収納する金種別収納庫等が設けられている。一括収納庫および金種別収納庫は、いずれも下部搬送部から紙幣を受け入れて収納するとともに収納している紙幣を下部搬送部に繰り出し可能となっている。一括収納庫および金種別収納庫は、下部ユニット２３が筐体２１から引き出された状態にあるとき下部ユニット２３から着脱可能となっている。下部搬送部は、上部ユニット２２からの紙幣を一括収納庫および金種別収納庫に搬送したり、一括収納庫および金種別収納庫からの紙幣を上部ユニット２２に搬送したりする。
【００２８】
筐体２１と下部ユニット２３との間には、下部ユニット２３を筐体２１に対し閉状態でロックする電磁式の図２に示すロック機構４３と、下部ユニット２３が筐体２１に対し閉状態にあるか否かを検知する図２に示す閉検知機構４４とが設けられている。また、下部ユニット２３には、内部機構４２内に生じたジャム等の異常を検出する複数のセンサからなる図２に示す異常検出機構４５が設けられている。
【００２９】
図１に示すように、新券処理機１２は、筐体（開閉手段）５１と、筐体５１に前後スライド可能に支持されて前方に引き出されるユニット（開閉手段）５２とを有している。
【００３０】
ユニット５２は、その前面部５３の上部に、機内から出金用のバラ紙幣が繰り出される出金口５４が設けられている。図５に示すように、ユニット５２の前面部５３よりも後側には、ユニット５２が筐体５１から引き出されると一体に引き出されて外部に露出する内部機構５５が設けられている。この内部機構５５には、図示は略すが、新券紙幣を繰り出し可能に収納する金種別の新券収納庫、新券収納庫から繰り出された紙幣を出金口５４等に搬送する新券搬送部、新券搬送部により搬送中の紙幣を識別・計数する新券識別部、新券識別部の識別結果から出金不可な紙幣を収納する新券リジェクト庫等が設けられている。
【００３１】
筐体５１とユニット５２との間には、ユニット５２を筐体５１に対し閉状態でロックする電磁式の図２に示すロック機構５６と、ユニット５２が筐体５１に対し閉状態にあるか否かを検知する図２に示す閉検知機構５７とが設けられている。また、新券処理機１２には、内部機構５５内に生じたジャム等の異常を検出する複数のセンサからなる図２に示す異常検出機構５８が設けられている。
【００３２】
図６に示すように、硬貨処理機１３は、筐体（開閉手段）６０と、筐体６０の前面開口部を揺動開閉する前面扉（開閉手段）６１と、筐体６０に前後スライド可能に支持されて前方に引き出されるユニット（開閉手段）６２とを有しており、ユニット６２には内部機構６３が設けられている。前面扉６１は、筐体６０の左右方向の紙幣処理機１１および新券処理機１２とは反対側の端部に鉛直軸を中心に回動するように連結される。硬貨処理機１３の内部機構６３は、筐体６０からユニット６２が引き出されることで外部に露出する。図１に示すように、筐体６０の上部には硬貨入金口６４が設けられており、前面扉６１の上部には包装硬貨を出金する棒金出金部６５が設けられている。また、前面扉６１の中間位置にはバラ硬貨を出金するバラ硬貨出金部６６が設けられている。
【００３３】
図６に示す内部機構６３には、図示は略すが、硬貨を搬送する硬貨搬送部と、硬貨搬送部で搬送中の硬貨を識別・計数して金種別に選別する硬貨選別部と、硬貨選別部で選別され硬貨搬送部で搬送される硬貨を金種別に一時貯留させる一時貯留部と、一時貯留部に貯留された硬貨を金種別に出金可能に収納する収納部と、収納部から繰り出され硬貨搬送部で搬送される硬貨を識別・計数し集積して包装する硬貨包装部等設けられている。
【００３４】
筐体６０と前面扉６１との間には、前面扉６１を筐体６０に対し閉状態でロックする電磁式の図２に示すロック機構６７と、前面扉６１が筐体６０に対し閉状態にあるか否かを検知する図２に示す閉検知機構６８とが設けられている。また、硬貨処理機１３には、内部機構６３内に生じたジャム等の異常を検出する複数のセンサからなる図２に示す異常検出機構６９が設けられている。
【００３５】
図３に示すように、紙幣処理機１１においては、筐体２１および上部ユニット２２が機内の内部機構３４を外部に開放可能であり、図４に示すように、筐体２１および下部ユニット２３が機内の内部機構４２を外部に開放可能となっている。また、図５に示すように、新券処理機１２においては、筐体５１およびユニット５２が機内の内部機構５５を外部に開放可能となっており、図６に示すように、硬貨処理機１３においては、筐体６０、前面扉６１およびユニット６２が機内の内部機構６３を外部に開放可能となっている。
【００３６】
そして、第１実施形態において、図１に示すように、紙幣処理機１１の上には、金券等を収納する現金外収納ポスト７５が設置され、その上に制御装置７６が搭載され、その上に撮像装置７７が搭載されている。
【００３７】
撮像装置７７は、図７に示すように、装置筐体８１と、伸縮可能なスライドレール８２と、スライドレール８２を介して装置筐体８１に前後スライド可能に支持されて装置筐体８１から前方に引き出されるカメラユニット８３とを有している。
【００３８】
装置筐体８１は、前面に開口部８４を有しており、その天井面８５に開口部８４から前方に延出可能となるようにスライドレール８２が取り付けられている。
【００３９】
スライドレール８２の先端部にはカメラユニット８３の支持部材８８が取り付けられている。この支持部材８８は、水平に配置された状態でスライドレール８２に固定される基板部８９と、基板部８９の前縁部からスライドレール８２と直交するように鉛直下方に延出する前板部９０と、基板部８９の左右方向の一側（図３〜図６に示す新券処理機１２および硬貨処理機１３とは反対側）の縁部から鉛直下方に延出する支持板部９１とを有している。支持板部９１は、スライドレール８２と平行をなしている。
【００４０】
前板部９０は、スライドレール８２が最も縮んだ状態で装置筐体８１の開口部８４に嵌合して開口部８４を閉塞する。前板部９０には、引き出し操作時に指が掛けられる揺動可能な開操作レバー９３と、押圧操作されるカメラスイッチ９４とが設けられている。カメラスイッチ９４は、赤色・緑色の二色の点灯および消灯が可能となっている。装置筐体８１および支持部材８８には、開口部８４を前板部９０で閉塞する閉状態にあるときに支持部材８８を装置筐体８１に移動不可にロックする機械式の図示略のロック機構が設けられている。
【００４１】
このロック機構は、開操作レバー９３の揺動操作でロックが機械的に解除されることになり、開操作レバー９３の揺動が解除された状態で支持部材８８が閉状態になると自動的にロックする。装置筐体８１には、スライドレール８２が最も伸ばされた状態にあるか否か、つまり支持部材８８が最も引き出された引出状態にあるか否かを検知する図２に示す引出検知機構９６と、スライドレール８２が最も縮められた状態にあるか否か、つまり支持部材８８が前板部９０で装置筐体８１の開口部８４を閉塞する待機状態にあるか否かを検知する図２に示す待機検知機構９７とが設けられている。
【００４２】
カメラユニット８３は、支持部材８８の支持板部９１に鉛直軸回りに回動可能に取り付けられるヒンジ１００と、このヒンジ１００を介して支持板部９１に揺動可能に取り付けられるカメラベース１０１と、カメラベース１０１の下面に取り付けられるカメラ（撮像手段）１０２とを有している。
【００４３】
カメラベース１０１は、その長さ方向の一端側の側面がヒンジ１００に連結されており、支持部材８８に対し鉛直軸回りに揺動する。カメラベース１０１は、図７（ｂ）に実線で示すようにヒンジ１００から後方つまり装置筐体８１側に延出する収納姿勢と、図７（ｂ）に二点鎖線で示すようにヒンジ１００から左右方向一側（図３〜図６に示す新券処理機１２および硬貨処理機１３の側）に延出する撮像姿勢とに揺動可能となっている。カメラベース１０１は、収納姿勢にあるとき、スライドレール８２の真下でスライドレール８２と平行をなし、撮像姿勢にあるとき、スライドレール８２と直交する方向に沿う。
【００４４】
支持部材８８には、図示は略すがカメラベース１０１を収納姿勢に保持するマグネットキャッチ等の保持機構と、カメラベース１０１を撮像姿勢に保持するマグネットキャッチ等の保持機構とが設けられている。カメラベース１０１は各保持機構に対して所定以上の力で揺動させられると姿勢変更可能となっている。また、支持部材８８には、カメラベース１０１が撮像姿勢にあるか否かを検知する図２に示す姿勢検知機構１０５が設けられている。
【００４５】
カメラ１０２は、カメラベース１０１のヒンジ１００とは反対側に配置されており、よって、カメラベース１０１が収納姿勢にあるときはカメラベース１０１の後部に、カメラベース１０１が撮像姿勢にあるときはカメラベース１０１の左右方向一側（図３〜図６に示す新券処理機１２および硬貨処理機１３の側）の側部に配置される。カメラ１０２は、撮像時に機外へ引き出されるものであり、スライドレール８２が最も伸ばされ、カメラベース１０１が撮像姿勢にあるとき、図３に示す紙幣処理機１１の上部ユニット２２の外部に開放された内部機構３４、図４に示す紙幣処理機１１の下部ユニット２３の外部に開放された内部機構４２、図５に示す新券処理機１２のユニット５２の外部に開放された内部機構５５および図６に示す硬貨処理機１３のユニット６２の外部に開放された内部機構６３を撮像可能な撮像位置に配置される。他方、カメラ１０２は、カメラベース１０１が収納姿勢にあってスライドレール８２が最も縮められると、装置筐体８１内つまり貨幣取扱機の機内に収納されることになる。
【００４６】
図７に示すように、制御装置７６には、その前面に警報音を発生させるブザー１０８が設けられており、内部には、図２に示すように、各部を制御する制御部（開閉制御手段）１１０およびカメラ１０２の撮像データ等をＳＤカード等に記録可能な記録部(記録手段）１１１が設けられている。この制御部１１０には、記録部１１１、操作部１４、表示部１５およびブザー１０８が接続されており、紙幣処理機１１のロック機構３５，４３、閉検知機構３６，４４および異常検出機構３７，４５と、新券処理機１２のロック機構５６、閉検知機構５７および異常検出機構５８と、硬貨処理機１３のロック機構６７、閉検知機構６８および異常検出機構６９とが接続されている。また、制御部１１０には、撮像装置７７のカメラスイッチ９４、引出検知機構９６、待機検知機構９７、姿勢検知機構１０５およびカメラ１０２が接続されている。
【００４７】
次に、上記した制御部１１０による主な制御内容について説明する。
【００４８】
メンテナンス時以外の通常運用時には、紙幣処理機１１の上部ユニット２２のロック機構３５、下部ユニット２３のロック機構４３、新券処理機１２のロック機構５６および硬貨処理機１３のロック機構６７はロック状態となっており、カメラスイッチ９４は消灯状態となっている。
【００４９】
制御部１１０は、紙幣処理機１１の異常検出機構３７，４５、新券処理機１２の異常検出機構５８および硬貨処理機１３の異常検出機構６９を監視しており、これらのいずれかで異常が検出されると、異常が発生した旨の表示と、撮像装置７７のカメラ１０２を撮像可能な撮像位置にするように促す表示とを行うとともに、カメラスイッチ９４を赤色に点滅させる。また、異常発生時以外のメンテナンス時において操作部１４へのメンテナンス作業を開始する旨の入力がなされた場合にも、制御部１１０は、撮像装置７７のカメラ１０２を撮像可能な撮像位置にするように促す表示とを行うとともに、カメラスイッチ９４を赤色に点滅させる。
【００５０】
これを見て、操作者は、撮像装置７７の赤色に点滅するカメラスイッチ９４を押圧操作することになり、カメラスイッチ９４の押圧操作を検知すると、制御部１１０は、カメラスイッチ９４を緑色に点灯させるとともにカメラ１０２に通電しカメラ１０２による撮像データの取り込みを開始させる。つまり、カメラ１０２はスイッチ操作によって撮像データの取り込みを開始する。
【００５１】
次に、操作者は、開操作レバー９３を手前に揺動させて機械式の図示略のロック機構のロックを解除しながらカメラユニット８３を手動で装置筐体８１から引き出す。すると、カメラ１０２が外部に露出することになり、カメラ１０２の撮像データから検知される照度が、所定の第１基準照度を上回ることになり、これを検知すると、制御部１１０はカメラ１０２の撮像データの記録部１１１への記録を開始する。また、上記カメラユニット８３の装置筐体８１からの引き出し開始で、待機検知機構９７が、前板部９０によって装置筐体８１の開口部８４を閉塞する待機状態になくなったことを検知する。
【００５２】
なお、制御部１１０は、待機状態になくなったことを待機検知機構９７が検知した時点でカメラスイッチ９４が押圧操作されていない場合には、ブザー１０８により警報音を発生させることになり、その後、カメラスイッチ９４が押圧されるとブザー１０８の警報音を停止させてカメラスイッチ９４を緑色に点灯させるとともにカメラ１０２に通電しカメラ１０２による撮像データの取り込みを開始させる。
【００５３】
操作者は、カメラユニット８３を装置筐体８１から最も引き出した後、収納姿勢にあったカメラベース１０１を手動で撮影姿勢にする。カメラユニット８３の支持部材８８が装置筐体８１から最も引き出された引出状態にあることを引出検知機構９６が検知し、且つカメラベース１０１が撮影姿勢になったことを姿勢検知機構１０５が検知すると、制御部１１０は、ロック機構３５，４３，５６，６７のロック解除を許可する状態となる。そして、異常検出時には、紙幣処理機１１の上部ユニット２２、下部ユニット２３、新券処理機１２および硬貨処理機１３の異常が検出されたものと、異常からの復旧作業を促す表示とを表示部１５に表示させるとともに、ロック機構３５，４３，５６，６７へのロック解除操作の選択入力を促す表示を表示部１５に表示させる。また、異常発生時以外のメンテナンス時には、ロック機構３５，４３，５６，６７へのロック解除操作の選択入力を促す表示を表示部１５に表示させる。ロック機構３５，４３，５６，６７のロック解除操作の選択入力は、操作部１４への操作入力で行われる。
【００５４】
なお、支持部材８８が引出状態にあることを引出検知機構９６が検知する前に、カメラベース１０１が撮影姿勢になったことを姿勢検知機構１０５が検知すると、制御部１１０は、ブザー１０８により警報音を発生させることになり、その後、支持部材８８が引出状態にあることを引出検知機構９６が検知するとブザー１０８による警報音を停止させる。また、待機検知機構９７が、支持部材８８によって装置筐体８１の開口部８４を閉塞する待機状態になくなったことを検知してから所定時間経過しても、支持部材８８が引出状態にあることを引出検知機構９６が検知し且つカメラベース１０１が撮影姿勢になったことを姿勢検知機構１０５が検知する状態にならないと、制御部１１０はブザー１０８により警報音を発生させることになる。その後、支持部材８８が引出状態にあることを引出検知機構９６が検知し且つカメラベース１０１が撮影姿勢になったことを姿勢検知機構１０５が検知する状態になるとブザー１０８による警報音を停止させる。
【００５５】
例えば、紙幣処理機１１の上部ユニット２２の内部機構３４のメンテナンスを行う場合、操作者は、紙幣処理機１１の上部ユニット２２のロック機構３５のロック解除操作の選択入力を操作部１４に行うことになり、これにより、制御部１１０がロック機構３５によるロックを解除する。次に、操作者は、この上部ユニット２２を筐体２１から引き出し、上部ユニット２２に設けられた内部機構３４を外部に露出させて異常を解消する等のメンテナンスを行う。そして、メンテナンス作業終了後、上部ユニット２２を筐体２１内に押し込んで戻す。
【００５６】
上部ユニット２２が筐体２１内に押し込まれたことを閉検知機構３６が検知すると、制御部１１０は、異常検出機構３７により内部機構３４の異常の有無を検出し、内部機構３４の異常が検出されなければ、ロック機構３５で上部ユニット２２を筐体２１にロックする。他方、異常検出機構３７により内部機構３４の異常が検出された場合、ロック機構３５で上部ユニット２２を筐体２１にロックすることはなく、紙幣処理機１１の上部ユニット２２の内部機構３４に異常があることを表示部１５に表示させる。これを見て操作者はメンテナンスをやり直すことになる。
【００５７】
また、例えば、紙幣処理機１１の下部ユニット２３の内部機構４２のメンテナンスを行う場合、操作者は、紙幣処理機１１の下部ユニット２３のロック機構４３のロック解除操作の選択入力を操作部１４に行うことになり、これにより、制御部１１０がロック機構４３によるロックを解除する。次に、操作者は、この下部ユニット２３を筐体２１から引き出し、下部ユニット２３に設けられた内部機構４２を外部に露出させて異常を解消する等のメンテナンスを行う。そして、メンテナンス作業終了後、下部ユニット２３を筐体２１内に押し込んで戻す。
【００５８】
下部ユニット２３が筐体２１内に押し込まれたことを閉検知機構４４が検知すると、制御部１１０は、異常検出機構４５により内部機構４２の異常の有無を検出し、内部機構４２の異常が検出されなければ、ロック機構４３で下部ユニット２３を筐体２１にロックする。他方、異常検出機構４５により内部機構４２の異常が検出された場合、ロック機構４３で下部ユニット２３を筐体２１にロックすることはなく、紙幣処理機１１の下部ユニット２３の内部機構４２に異常があることを表示部１５に表示させる。これを見て操作者はメンテナンスをやり直すことになる。
【００５９】
また、例えば、新券処理機１２のユニット５２の内部機構５５のメンテナンスを行う場合、操作者は、新券処理機１２のロック機構５６のロック解除操作の選択入力を操作部１４に行うことになり、これにより、制御部１１０がロック機構５６によるロックを解除する。次に、操作者は、このユニット５２を筐体５１から引き出し、ユニット５２に設けられた内部機構５５を外部に露出させて異常を解消する等のメンテナンスを行う。そして、メンテナンス作業終了後、ユニット５２を筐体５１内に押し込んで戻す。
【００６０】
ユニット５２が筐体５１内に押し込まれたことを閉検知機構５７が検知すると、制御部１１０は、異常検出機構５８により内部機構５５の異常の有無を検出し、内部機構５５の異常が検出されなければ、ロック機構５６でユニット５２を筐体５１にロックする。他方、異常検出機構５８により内部機構５５の異常が検出された場合、ロック機構５６でユニット５２を筐体５１にロックすることはなく、新券処理機１２のユニット５２の内部機構５５に異常があることを表示部１５に表示させる。これを見て操作者はメンテナンスをやり直すことになる。
【００６１】
また、例えば、硬貨処理機１３のユニット６２の内部機構６３のメンテナンスを行う場合、操作者は、硬貨処理機１３のロック機構６７のロック解除操作の選択入力を操作部１４に行うことになり、これにより、制御部１１０がロック機構６７によるロックを解除する。次に、操作者は、前面扉６１を開いてユニット６２を筐体６０から引き出し、ユニット６２に設けられた内部機構６３を外部に露出させて異常を解消する等のメンテナンスを行う。そして、メンテナンス作業終了後、ユニット６２を筐体６０内に押し込んで戻し、前面扉６１を閉じる。
【００６２】
ユニット６２が筐体６０内に押し込まれ前面扉６１が閉じられたことを閉検知機構６８が検知すると、制御部１１０は、異常検出機構６９により内部機構６３の異常の有無を検出し、内部機構６３の異常が検出されなければ、ロック機構６７で前面扉６１を筐体６０にロックする。他方、異常検出機構６９により内部機構６３の異常が検出された場合、ロック機構６７で前面扉６１を筐体６０にロックすることはなく、硬貨処理機１３のユニット６２の内部機構６３に異常があることを表示部１５に表示させる。これを見て操作者はメンテナンスをやり直すことになる。
【００６３】
そして、異常検出機構３７，４５，５８，６９によりすべてに異常がないことが検出されて、ロック機構３５，４３，５６，６７をロック状態にすると、制御部１１０は、カメラスイッチ９４を消灯状態にするとともに、表示部１５にカメラ１０２の収納指示を表示させる。すると、操作者は、カメラベース１０１を収納姿勢に戻し、カメラユニット８３を装置筐体８１に押し込む。カメラユニット８３が装置筐体８１に押し込まれると、カメラ１０２の撮像データから検知される照度が、所定の第２基準照度を下回ることになり、制御部１１０は、このように照度が所定の第２基準照度を下回ると、カメラ１０２の撮像データの記録部１１１への記録を停止させるとともにカメラ１０２への通電を停止して撮像データの取り込みを停止させる。
【００６４】
なお、異常検出機構３７，４５，５８，６９によりすべての異常が解消されたことが検出される前に、カメラベース１０１が撮像姿勢になくなったことを姿勢検知機構１０５が検知したり、支持部材８８が引出位置になくなったことを引出検知機構９６が検知したりすると、制御部１１０は、ブザー１０８により警報音を発生させることになり、その後、カメラベース１０１が撮像姿勢になったことを姿勢検知機構１０５が検知し且つ支持部材８８が引出位置にあることを引出検知機構９６が検知する状態になると、ブザー１０８により警報音を停止させることになる。
【００６５】
また、カメラベース１０１が撮像姿勢になくなったことを姿勢検知機構１０５が検知する前に、支持部材８８が引出位置になくなったことを引出検知機構９６が検知すると、制御部１１０は、ブザー１０８により警報音を発生させることになり、その後、カメラベース１０１が撮像姿勢になくなったことを姿勢検知機構１０５が検知すると、ブザー１０８の警報音を停止させる。また、異常検出機構３７，４５，５８，６９によりすべての異常が解消されたことが検出されてから、所定時間経過しても、カメラベース１０１が撮像姿勢になくなったことを姿勢検知機構１０５が検知し且つ支持部材８８が待機位置に戻されたことを待機検知機構９７が検知する状態にならなければ、制御部１１０はブザー１０８により警報音を発生させることになる。その後、カメラベース１０１が撮像姿勢になくなったことを姿勢検知機構１０５が検知し且つ支持部材８８が待機位置に戻されたことを待機検知機構９７が検知する状態になるとブザー１０８の警報音を停止させる。
【００６６】
以上により、制御部１１０は、カメラ１０２が撮像位置に配置されてから、言い換えれば、それ以前に開始されるカメラ１０２の撮像データの記録部１１１への記録が開始されてから、紙幣処理機１１の上部ユニット２２の内部機構３４、紙幣処理機１１の下部ユニット２３の内部機構４２、新券処理機１２の内部機構５５および硬貨処理機１３の内部機構６３のそれぞれの外部への開放を許可することになる。また、その後、カメラ１０２が装置筐体８１内に収納されるまで、カメラ１０２の撮像および撮像データの記録部１１１への記録を続けることになるが、異常検出機構３７，４５，５８，６９により内部機構３４，４２，５５，６３のすべてに異常がないことが検出され、すべてのロック機構３５，４３，５６，６７がロックされる前に、カメラ１０２の撮像および撮像データの記録部１１１への記録を停止させる状況になると、ブザー１０８により警報を発することになる。
【００６７】
ここで、紙幣処理機１１の上部ユニット２２の内部機構３４、紙幣処理機１１の下部ユニット２３の内部機構４２、新券処理機１２の内部機構５５および硬貨処理機１３の内部機構６３のうち、複数のものにメンテナンスが行われる場合に、制御部１１０は、ロック機構３５，４３，５６，６７のうちの一つのみのロックを解除し、このロックを解除したもののメンテナンスが終了してロック状態となると、次の一つのみのロックを解除し、このロックを解除したもののメンテナンスが終了してロック状態になると、次の一つのみのロックを解除するという制御を行う。これにより、紙幣処理機１１の上部ユニット２２、下部ユニット２３、新券処理機１２のユニット５２および硬貨処理機１３のユニット６２のうちの複数が同時に引き出されることを規制する。その結果、他の引き出されたユニットが、引き出された監視対象のユニットを撮像する際の死角となることを防止する。
【００６８】
以上に述べた第１実施形態によれば、記録部１１１による撮像データの記録が開始されると、制御部１１０が、紙幣処理機１１の上部ユニット２２の筐体２１からの引き出しによる内部機構３４の外部への開放、紙幣処理機１１の下部ユニット２３の筐体２１からの引き出しによる内部機構４２の外部への開放、新券処理機１２のユニット５２の筐体５１からの引き出しによる内部機構５５の外部への開放、硬貨処理機１３のユニット６２の筐体６０からの引き出しによる内部機構６３の外部への開放を許可するため、開放初期の撮像データを記録できない可能性がなくなる。したがって、保守、点検および復旧作業等のメンテナンス作業において、内部機構３４，４２，５５，６３を引き出す際に、適正な撮像データを記録することが可能となる。よって、現金違算発生時の係員の作業証明や、不正抑止効果が得られる。
【００６９】
また、カメラ１０２が、機内に収納可能であり、撮像時に機外へ引き出されるため、通常運用時は、カメラ１０２を収納しておくことで邪魔になることがなくなり、利便性を損なうことがなくなる。
【００７０】
また、カメラスイッチ９４にスイッチ操作がなされると、カメラ１０２が撮像データの取り込みを開始するため、簡素な構造で撮像データの取り込みを開始させることができる。
【００７１】
また、カメラ１０２を撮像のため機外へ引き出すと、その検知する照度が、所定の第１基準照度を上回ることになって、記録部１１１が撮像データの記録を開始するとともに、カメラ１０２を機内へ収納すると、その検知する照度が、所定の第２基準照度を下回ることになって、記録部１１１が撮像データの記録を停止する。つまり、カメラ１０２の引き出しおよび収納に連動して自動的に撮像データの記録を開始および停止することができる。したがって、確実に保守、点検、復旧作業等のメンテナンス作業を記録できる。また、カメラ１０２を撮像データの記録開始および記録終了を制御する手段として兼用することになるため、コストを低減することができる。
【００７２】
次に、本発明の第２実施形態に係る貨幣取扱機を主に図８および図９を参照して第１実施形態との相違部分を中心に説明する。
【００７３】
第２実施形態においては、第１実施形態の電磁式の図２に示すロック機構３５，４３，５６，６７が設けられておらず、図８に示すように、紙幣処理機１１の上部ユニット２２を筐体２１に対し閉状態でロックする機械式のロック機構１２１と、紙幣処理機１１の下部ユニット２３を筐体２１に対し閉状態でロックする機械式のロック機構１２２と、新券処理機１２のユニット５２を筐体５１に対し閉状態でロックする機械式のロック機構１２３と、硬貨処理機１３の前面扉６１を筐体６０に対し閉状態でロックする機械式のロック機構１２４とが設けられている。これらロック機構１２１〜１２４は、別体のキー１２５と、このキー１２５で解錠および施錠されるシリンダ錠１２６とからなっている。
【００７４】
筐体２１には、ロック機構１２１によって上部ユニット２２と筐体２１とがロック状態にあるか否かを検出する図９に示す施錠検知機構１２７と、ロック機構１２２によって下部ユニット２３と筐体２１とがロック状態にあるか否かを検出する図９に示す施錠検知機構１２８とが設けられている。筐体５１には、ロック機構１２３によってユニット５２と筐体５１とがロック状態にあるか否かを検出する図９に示す施錠検知機構１２９が、筐体６０には、ロック機構１２４によって前面扉６１と筐体６０とがロック状態にあるか否かを検出する図９に示す施錠検知機構１３０が、それぞれ設けられている。
【００７５】
次に、第２実施形態における制御部（警報制御手段）１１０による主な制御内容について第１実施形態との相違部分を中心に説明する。
【００７６】
メンテナンス時に、操作者は、第１実施形態と同様、撮像装置７７の赤色に点滅するカメラスイッチ９４を押圧操作することになり、カメラスイッチ９４の押圧操作を検知すると、制御部１１０は、カメラスイッチ９４を緑色に点灯させるとともにカメラ１０２に通電しカメラ１０２による撮像データの取り込みを開始させる。
【００７７】
次に、操作者は、開操作レバー９３を装置筐体８１から引き出す。すると、第１実施形態と同様、カメラ１０２が外部に露出することになり、その検知する照度が、所定の第１基準照度を上回ることになって、制御部１１０がカメラ１０２の撮像データの記録部１１１への記録を開始する。
【００７８】
操作者は、カメラユニット８３を装置筐体８１から最も引き出した後、収納姿勢にあったカメラベース１０１を手動で撮影姿勢にする。すると、カメラ１０２が撮像位置に位置する。カメラ１０２が撮像位置に位置したことを、引出検知機構９６および姿勢検知機構１０５で検知すると、制御部１１０は、異常検出時には、紙幣処理機１１の上部ユニット２２、下部ユニット２３、新券処理機１２および硬貨処理機１３の異常が検出されたものと、異常からの復旧作業を促す表示とを表示部１５に表示させるとともに、ロック機構１２１，１２２，１２３，１２４へのロック解除操作を促す表示を表示部１５に表示させる。また、異常発生時以外のメンテナンス時は、ロック機構１２１，１２２，１２３，１２４へのロック解除操作を促す表示を表示部１５に表示させる。
【００７９】
ところで、第２実施形態においては、キー１２５およびシリンダ錠１２６からなる機械式のロック機構１２１〜１２４を用いているため、上記のようにロック解除操作を促す表示を表示部１５に表示させる前であっても、ロック機構１２１，１２２，１２３，１２４へのロック解除操作は可能となっている。
【００８０】
このため、制御部１１０は、紙幣処理機１１の上部ユニット２２が筐体２１から引き出されて内部機構３４が外部に開放されたことを、閉検知機構３６により検知している状態では、次の制御を行う。つまり、この状態で、カメラ１０２の撮像データの記録部１１１への記録が開始されていない場合と、カメラ１０２の撮像データの記録部１１１への記録が開始されていても、カメラ１０２が撮像位置にあることが引出検知機構９６および姿勢検知機構１０５で検知されていない場合との両方について、ブザー１０８により警報音を発生させることになる。制御部１１０は、その後、紙幣処理機１１の上部ユニット２２が筐体２１に戻されたことを閉検知機構３６により検出するとブザー１０８による警報音を停止させる。
【００８１】
また、制御部１１０は、紙幣処理機１１の下部ユニット２３が筐体２１から引き出されて内部機構４２が外部に開放されたことを閉検知機構４４により検出している状態では、次の制御を行う。つまり、この状態で、カメラ１０２の撮像データの記録部１１１への記録が開始されていない場合と、カメラ１０２の撮像データの記録部１１１への記録が開始されていても、カメラ１０２が撮像位置にあることが引出検知機構９６および姿勢検知機構１０５で検知されていない場合との両方について、ブザー１０８により警報音を発生させることになる。制御部１１０は、その後、紙幣処理機１１の下部ユニット２３が筐体２１に戻されたことを閉検知機構４４により検出するとブザー１０８による警報音を停止させる。
【００８２】
また、制御部１１０は、新券処理機１２のユニット５２が筐体５１から引き出されて内部機構５５が外部に開放されたことを閉検知機構５７により検出している状態では、次の制御を行う。つまり、この状態で、カメラ１０２の撮像データの記録部１１１への記録が開始されていない場合と、カメラ１０２の撮像データの記録部１１１への記録が開始されていても、カメラ１０２が撮像位置にあることが引出検知機構９６および姿勢検知機構１０５で検知されていない場合との両方について、ブザー１０８により警報音を発生させることになる。制御部１１０は、その後、新券処理機１２のユニット５２が筐体５１に戻されたことを閉検知機構５７により検出するとブザー１０８による警報音を停止させる。
【００８３】
また、制御部１１０は、硬貨処理機１３の前面扉６１が開かれたことを閉検知機構６８により検出している状態、つまり、硬貨処理機１３のユニット６２が筐体６０から引き出されて内部機構６３が外部に開放される際には、次の制御を行う。つまり、この状態で、カメラ１０２の撮像データの記録部１１１への記録が開始されていない場合と、カメラ１０２の撮像データの記録部１１１への記録が開始されていても、カメラ１０２が撮像位置にあることが引出検知機構９６および姿勢検知機構１０５で検知されていない場合との両方について、ブザー１０８により警報音を発生させることになる。制御部１１０は、その後、硬貨処理機１３の前面扉６１が閉じられたことを閉検知機構６８により検出するとブザー１０８による警報音を停止させる。
【００８４】
例えば、紙幣処理機１１の上部ユニット２２の内部機構３４のメンテナンスを行う場合、操作者は、紙幣処理機１１の上部ユニット２２のロック機構１２１のロック解除操作をキー１２５を用いて行うことになる。次に、操作者は、この上部ユニット２２を筐体２１から引き出し、上部ユニット２２に設けられた内部機構３４を外部に露出させて異常を解消する等のメンテナンスを行う。そして、メンテナンス作業終了後、上部ユニット２２を筐体２１内に押し込んで戻す。
【００８５】
上部ユニット２２が筐体２１内に押し込まれたことを閉検知機構３６が検知すると、制御部１１０は、異常検出機構３７により内部機構３４の異常の有無を検出し、内部機構３４の異常が検出されなければ、ロック機構１２１による上部ユニット２２の筐体２１へのロックを促す表示を表示部１５に表示させる。他方、異常検出機構３７により内部機構３４の異常が検出された場合、紙幣処理機１１の上部ユニット２２の内部機構３４に異常があることを表示部１５に表示させる。これを見て操作者はメンテナンスをやり直すことになる。
【００８６】
また、例えば、紙幣処理機１１の下部ユニット２３の内部機構４２のメンテナンスを行う場合、操作者は、紙幣処理機１１の下部ユニット２３のロック機構１２２のロック解除操作をキー１２５を用いて行うことになる。次に、操作者は、この下部ユニット２３を筐体２１から引き出し、下部ユニット２３に設けられた内部機構４２を外部に露出させて異常を解消する等のメンテナンスを行う。そして、メンテナンス作業終了後、下部ユニット２３を筐体２１内に押し込んで戻す。
【００８７】
下部ユニット２３が筐体２１内に押し込まれたことを閉検知機構４４が検知すると、制御部１１０は、異常検出機構４５により内部機構４２の異常の有無を検出し、内部機構４２の異常が検出されなければ、ロック機構１２２による下部ユニット２３の筐体２１へのロックを促す表示を表示部１５に表示させる。他方、異常検出機構４５により内部機構４２の異常が検出された場合、紙幣処理機１１の下部ユニット２３の内部機構４２に異常があることを表示部１５に表示させる。これを見て操作者はメンテナンスをやり直すことになる。
【００８８】
また、例えば、新券処理機１２のユニット５２の内部機構５５のメンテナンスを行う場合、操作者は、新券処理機１２のユニット５２のロック機構１２３のロック解除操作をキー１２５を用いて行うことになる。次に、操作者は、このユニット５２を筐体５１から引き出し、ユニット５２に設けられた内部機構５５を外部に露出させて異常を解消する等のメンテナンスを行う。そして、メンテナンス作業終了後、ユニット５２を筐体５１内に押し込んで戻す。
【００８９】
ユニット５２が筐体５１内に押し込まれたことを閉検知機構５７が検知すると、制御部１１０は、異常検出機構５８により内部機構５５の異常の有無を検出し、内部機構５５の異常が検出されなければ、ロック機構１２３によるユニット５２の筐体５１へのロックを促す表示を表示部１５に表示させる。他方、異常検出機構５８により内部機構５５の異常が検出された場合、新券処理機１２のユニット５２の内部機構５５に異常があることを表示部１５に表示させる。これを見て操作者はメンテナンスをやり直すことになる。
【００９０】
また、例えば、硬貨処理機１３のユニット６２の内部機構６３のメンテナンスを行う場合、操作者は、硬貨処理機１３のロック機構１２４のロック解除操作をキー１２５を用いて行うことになる。次に、操作者は、前面扉６１を開いてユニット６２を筐体６０から引き出し、ユニット６２に設けられた内部機構６３を外部に露出させて異常を解消する等のメンテナンスを行う。そして、メンテナンス作業終了後、ユニット６２を筐体６０内に押し込んで戻し、前面扉６１を閉じる。
【００９１】
ユニット６２が筐体６０内に押し込まれ前面扉６１が閉じられたことを閉検知機構６８が検知すると、制御部１１０は、異常検出機構６９により内部機構６３の異常の有無を検出し、内部機構６３の異常が検出されなければ、ロック機構１２４による前面扉６１の筐体６０へのロックを促す表示を表示部１５に表示させる。他方、異常検出機構６９により内部機構６３の異常が検出された場合、硬貨処理機１３のユニット６２の内部機構６３に異常があることを表示部１５に表示させる。これを見て操作者はメンテナンスをやり直すことになる。
【００９２】
そして、異常検出機構３７，４５，５８，６９によりすべてに異常がないことが検出され、施錠検知機構１２７〜１３０によりすべてのロック機構１２１〜１２４がロック状態になったことが検知されると、制御部１１０は、カメラスイッチ９４を消灯状態とするとともに、表示部１５にカメラ１０２の収納指示を表示させる。すると、操作者は、カメラベース１０１を収納姿勢に戻し、カメラユニット８３を装置筐体８１に押し込む。カメラユニット８３が装置筐体８１に押し込まれると、カメラ１０２の撮像データから検知される照度が、所定の第２基準照度を下回ることになり、制御部１１０は、このように照度が所定の第２基準照度を下回ると、カメラ１０２の撮像データの記録部１１１への記録を停止させるとともにカメラ１０２への通電を停止して撮像データの取り込みを停止させる。
【００９３】
以上により、制御部１１０は、紙幣処理機１１の上部ユニット２２の内部機構３４、紙幣処理機１１の下部ユニット２３の内部機構４２、新券処理機１２の内部機構５５および硬貨処理機１３の内部機構６３のそれぞれが外部へ開放される際に、カメラ１０２が撮像位置に配置されていない、言い換えれば、それ以前に開始されるカメラ１０２の撮像データの記録部１１１への記録が開始されていないと、ブザー１０８により警報を発することになる。
【００９４】
ここで、紙幣処理機１１の上部ユニット２２、紙幣処理機１１の下部ユニット２３、新券処理機１２のユニット５２および硬貨処理機１３のユニット６２は、複数が同時に引き出されることがなく一つのユニットのみが引き出し可能となるように機械的にロックがかかるようになっている。これにより、監視対象のユニットが引き出された状態で、他の引き出されたユニットが撮像の死角となることを防止する。
【００９５】
以上に述べた第２実施形態によれば、紙幣処理機１１の上部ユニット２２の筐体２１からの引き出しによる内部機構３４の外部への開放、紙幣処理機１１の下部ユニット２３の筐体２１からの引き出しによる内部機構４２の外部への開放、新券処理機１２のユニット５２の筐体５１からの引き出しによる内部機構５５の外部への開放、硬貨処理機１３のユニット６２の筐体６０からの引き出しによる内部機構６３の外部への開放のそれぞれが行われる際に、記録部１１１による撮像データの記録が開始されていないと、制御部１１０がブザー１０８により警報を発生させるため、開放初期の撮像データを記録できない状況に対して警報を発することができる。したがって、確実に撮像データを記録できる状況下での内部機構３４，４２，５５，６３の外部への開放を操作者に促すことになり、保守、点検および復旧作業等、内部機構３４，４２，５５，６３を引き出す際に、適正な撮像データを記録することが可能となる。よって、現金違算発生時の係員の作業証明や、不正抑止効果が得られる。
【００９６】
以上に述べた第１，第２実施形態によれば、カメラスイッチ９４によるスイッチ操作によってカメラ１０２の撮像データの取り込みを開始させる場合を例にとり説明した。参考技術として、紙幣処理機１１の上部ユニット２２の筐体２１からの引き出しによる内部機構３４の外部への開放、紙幣処理機１１の下部ユニット２３の筐体２１からの引き出しによる内部機構４２の外部への開放、新券処理機１２のユニット５２の筐体５１からの引き出しによる内部機構５５の外部への開放、硬貨処理機１３のユニット６２の筐体６０からの引き出しによる内部機構６３の外部への開放のそれぞれが必要となった場合に出力される特定信号によって、カメラ１０２の撮像データの取り込みを開始させるようにしても良い。この特定信号は、例えば、上記した異常検出機構３７，４５，５８，６９が、内部機構３４，４２，５５，６３に異常を検出したときに発生するエラー信号や、定期的に表示部１５に発せられるメンテナンス指示信号等である。このように構成すれば、内部機構３４，４２，５５，６３を外部に開放する必要が生じた場合に自動的に撮像データの取り込みを開始させることができる。
【符号の説明】
【００９７】
２１，５１，６０  筐体（開閉手段）
２２  上部ユニット（開閉手段）
２３  下部ユニット（開閉手段）
５２，６２  ユニット（開閉手段）
６１  前面扉（開閉手段）
３４，４２，５５，６３  内部機構
１０２  カメラ（撮像手段）
１１０  制御部（開閉制御手段，警報制御手段）
１１１  記録部(記録手段）
【図１】
0005820752.tif 000002
【図２】
0005820752.tif 000003
【図３】
0005820752.tif 000004
【図４】
0005820752.tif 000005
【図５】
0005820752.tif 000006
【図６】
0005820752.tif 000007
【図７】
0005820752.tif 000008
【図８】
0005820752.tif 000009
【図９】
0005820752.tif 000010